(57)【要約】【課題】  あらゆる方向の引きに対して取付ベースに負担がかからず、また船が激しく揺れた場合でもリールの重みで釣竿が勢いよく立ち上がることがない釣り用ホルダーを提供する。【解決手段】  船縁に固定可能とした取付ベースと、釣竿を上下動可能に保持する一方、釣竿とは別にリールを固定可能としたホルダー本体とからなり、該ホルダー本体は前記取付ベースに対して相対的に水平回転可能に連結した。また、ホルダー本体には、釣竿を寝かせた状態に保持する受け部を設けると共に、釣竿を起こした状態に保持する支持部を設けることもある。さらに、支持部は折り畳み可能に設ける。また、ホルダー本体と取付ベースとは、中空円筒状スリーブに支柱パイプを挿入して連結され、前記スリーブ側に支柱パイプに向かって進退する抜け止めボルトを設けてなる。【選択図】        図１
2006262831.tif 000002
【特許請求の範囲】
【請求項１】
船縁に固定可能とした取付ベースと、釣竿を上下動可能に保持する一方、釣竿とは別にリールを固定可能としたホルダー本体とからなり、該ホルダー本体は前記取付ベースに対して相対的に水平回転可能に連結したことを特徴とする釣り用ホルダー。
【請求項２】
ホルダー本体に釣竿を寝かせた状態に保持する受け部を設けた請求項１記載の釣り用ホルダー。
【請求項３】
ホルダー本体に釣竿を起こした状態に保持する支持部を設けた請求項１または２記載の釣り用ホルダー。
【請求項４】
支持部は折り畳み可能に設けた請求項３記載の釣り用ホルダー。
【請求項５】
ホルダー本体と取付ベースとは、中空円筒状スリーブに支柱パイプを挿入して連結され、前記スリーブ側に支柱パイプに向かって進退する抜け止めボルトを設けた請求項１から４のうち何れか一項記載の釣り用ホルダー。
【発明の詳細な説明】
【技術分野】
【０００１】
この発明は、船釣りに使用するリールと釣竿のホルダーに関するものである。
【背景技術】
【０００２】
従来、船縁に固定可能な釣竿のホルダーは存在した（例えば、特許文献１を参照）。即ち、従来のホルダーは、船縁に幅と厚み方向から取付けられる取付ベースに、釣竿が上下動可能に取付けられる竿保持部を設けたものである。
【０００３】
このホルダーによれば、釣竿を釣糸の巻取りやシャクリに必要な上下動を可能とした状態で船縁に固定できる。
【０００４】
【特許文献１】特開２００２−１６５５４２号公報
【発明の開示】
【発明が解決しようとする課題】
【０００５】
しかしながら、上述した従来のホルダーは、釣竿の上下方向の運動を許容するものの、水平（左右）方向については常に同じ向きに固定されるものであるため、魚の引きが左右に激しく移動した場合、その力が取付ベースに作用して、船縁からホルダーが不用意に外れるおそれがあった。また、ホルダーが外れないまでも、ぐらつきが生じやすく、その都度、取付ベースを船縁に締め直すなどの煩わしさがあった。さらに、強固に取付ベースを固定している場合、船縁自体を損傷するおそれもあった。
【０００６】
こうした問題点に加えて従来のホルダーは、リールを釣竿または竿保持部に固定するものであったため、リールが釣竿と常に連動して上下動することを許容することになる。例えば、船が波に揉まれて、ローリングやホッピングなどにより上下に揺れた場合、リールが重りとなって釣竿が勢いよく起き上がることがあった。このとき、釣竿が人に当たれば怪我のおそれがあり、また船に当たれば釣竿や船を損傷させるおそれもある。特に、大型の魚を釣る際は、数キロから十数キロもある電動リールを使用することがあり、この場合、リールが重りとなったときの反動が大きいため、上述した問題への対処が重要となる。
【０００７】
本発明は上述した課題に鑑みなされたもので、その目的とするところは、あらゆる方向の引きに対しても取付ベースに負担がかからず、また船が激しく揺れた場合でもリールの重みで釣竿が勢いよく立ち上がることがない釣り用ホルダーを提供することである。
【課題を解決するための手段】
【０００８】
上述した目的を達成するために本発明では、船縁に固定可能とした取付ベースと、釣竿を上下動可能に保持する一方、釣竿とは別にリールを固定可能としたホルダー本体とからなり、該ホルダー本体は前記取付ベースに対して相対的に水平回転可能に連結するという手段を用いた。当該手段において取付ベースはホルダー本体を船縁に固定するのであるが、ホルダー本体を水平回転できるように支持する。つまり、本発明ホルダーは、釣竿を上下動および水平回転可能に動かすことができる。一方、リールはホルダー本体に固定されているため、釣竿と共に水平回転可能であるが、ホルダー本体への取付けは釣竿から独立して行われるため、釣竿の上下動には連動しない。
【０００９】
なお、当たりを待つ間、釣竿を水平に寝かせた状態としておくために、ホルダー本体に釣竿を寝かせた状態に保持する受け部を設けることが好ましく、またトローリングに本発明ホルダーを使用する場合は、ホルダー本体に釣竿を起こした状態に保持する支持部を設けることが好ましい。また、支持部を折り畳み可能に設けておけば、本ホルダーを通常の当たり待ちとトローリングの使用状態の何れに使用することができる。
【００１０】
なお、取付ベースに対するホルダー本体の取付態様としては、ホルダー本体と取付ベースとは、中空円筒状スリーブに支柱パイプを挿入して連結され、前記スリーブ側に支柱パイプに向かって進退する回り止めボルトを設けるという手段を選択的に採用する。
【発明の効果】
【００１１】
以上説明したように本発明によれば、釣竿を上下動可能に保持する一方、これとは別にリールを固定可能としたホルダー本体を取付ベースに対して回転可能に連結したので、釣竿を使用者の意思に基づく操作または魚の引きに追従して上下動および水平回転させることができるので、どのような操作や引きに対しても釣竿に作用する力をあらゆる方向に分散できる。従って、取付ベースに無理な力がかからず、ホルダーが不要に船縁から外れたり、ぐらつきが一切生じない。
【発明を実施するための最良の形態】
【００１２】
以下、本発明の好ましい実施の形態を添付した図面に従って説明する。図１は、本発明の一実施形態に係るホルダーの分解斜視図である。同図中、１０は取付ベース、２０はホルダー本体である。取付ベース１０は中空円筒状のスリーブ１に水平方向に伸びる第一のクランプ部２と、該第一のクランプ部２と上下関係をもってスリーブ１に設けられた第二のクランプ部３とからなる。第一のクランプ部２は、２本の平行する外管４と、これに挿入可能な内管５からなるスライドベース６とからなり、適宜ボルト（図示せず）によってスライドベース６を任意の長さに突出させることができる。さらにスライドベース６の先端には、前後に揺動可能なアーム７が設けられ、該アーム７には締め付けボルト８が設けられている。一方、第二のクランプ部３は、スリーブ１を上下方向に昇降可能で、スライドベース６との間隔を任意に保持した状態で固定ボルト９によって固定される。
【００１３】
そして、上記構成の取付ベース１０は、図２に示したように、船縁の幅（前後方向）と厚み（上下方向）に応じて、第一クランプ部２におけるスライドベース６の突出量と第二クランプ部３の高さ位置を調整することによって、船縁に固定される。
【００１４】
次にホルダー本体２０は、図１に示したように、取付ベース１０のスリーブ１に回転可能に挿入される支柱パイプ２１と、該支柱パイプ２１から水平方向に伸びる受け部２２と、支柱パイプ２１の上端に固定して設けたリールの固定台２３と、さらに受け部２２に上下動可能に設けた竿保持部２４とからなる。リールは固定台２３に例えば下面からネジやボルトによって固定される。竿保持部２４は受け部２２の中途に回転軸を中心にその先端を上下動可能に取付けられ、前記先端に釣竿の柄を挿入した上で袋ナット等に柄を固定する。つまり、このホルダー本体２０を単体として見れば、釣竿は竿保持部２４に上下動可能に保持される一方、リールは釣竿とは縁が切れた状態で固定台２３に固定される。
【００１５】
なお、ホルダー本体２０の支柱パイプ２１には係止用リング溝２１ａが刻設されており、取付ベース１０のスリーブ１には前記リング溝２１ａに進退可能に係止する支柱パイプ２１の抜け止め用ボルト１ａが取付けられている。
【００１６】
上記構成からなる釣り用ホルダーによれば、図３に示したように、ホルダー本体２０を取付ベース１０に連結した状態で、釣竿が竿保持部２４によって上下動可能に保持される。このときリールは竿保持部２４とは無関係に支柱パイプ２１に固定された固定台２３に取付けられるため、釣竿の上下動に連動することはなく、従って、釣竿を単独で上下動することができると共に、仮に船が上下に揺れた場合でもリールが重りとなって、その反動により釣竿が不用意に起き上がることがない。
【００１７】
さらに、図４に示したように、ホルダー本体２０は取付ベース１０に対して相対的に水平回転可能に連結されるため、当たりのあった魚が左右に引いたとしても、これに追従してホルダー本体２０全体がその方向に回転する。従って、取付ベース１０には魚の左右の引きによる過度な力が作用せず、取付ベース１０が船縁から外れたりぐらついたりすることがない。また、ホルダー本体２０の回転時、リールは常に釣竿と同じ位置関係で回転するため、リールの操作も安定して行うことができる。
【００１８】
なお、図３において、３０は釣竿を斜めに起こした状態で保持するための支持部であって、主としてトローリングをするときに使用するものである。この実施形態の場合、支持部３０は釣竿の角度調整が可能なリンク機構を採用し、未使用時には折り畳むことができるように構成している。
【００１９】
ところで、上記実施形態では、取付ベース１０とホルダー本体２０の連結構成を、スリーブ１とこれに挿入可能な支柱パイプ２１とにより実現しているが、何れをスリーブ・支柱パイプとするかは自由であって、また他の回転可能な連結構成を採用することもできる。さらに、上記実施形態では抜け止めボルト１ａの係止構造として、支柱パイプ２１の全周に亘ってリング溝２１ａを設け、ホルダー本体２０を３６０度全範囲で回転可能としたが、必ずしも３６０度の全範囲でなくてもよく、例えば２７０度や１８０度など、これよりも小さい範囲で回転できるように、リング溝２１ａの刻設範囲を決定することも可能である。
【図面の簡単な説明】
【００２０】
【図１】本発明の一実施形態に係る釣り用ホルダーの分解斜視図
【図２】同ホルダーにおける取付ベースの船縁への固定方法を示した側面図
【図３】同ホルダーの組立図
【図４】同ホルダーの使用態様を示した説明図
【符号の説明】
【００２１】
１  スリーブ
１０  取付ベース
２０  ホルダー本体
２１  支柱パイプ
２２  釣竿の受け部
２３  リールの固定台
２４  竿保持部
【図１】
2006262831.tif 000003
【図２】
2006262831.tif 000004
【図３】
2006262831.tif 000005
【図４】
2006262831.tif 000006